(57)【要約】【課題】  電線の芯線と刃物との接触を検知する機能であって短く切断された電線についても検知可能な芯線接触検知機能を有する電線被覆材剥離装置を提供すること。【解決手段】  電線Ｗの被覆材７１の剥離過程にて刃物２７、２７が電線Ｗの芯線７０に接触した場合、刃物２７、２７に電気信号発生回路１０５から信号ライン７３を通して矩形直流信号を印加してから一定の時間（ｔ）が経過した時点で、信号ライン７３の変位電流を検出して電圧に変換し、この電圧をホールドする変位電流検出・電流−電圧変換回路１１０によって、信号ライン７３の電圧が芯線７０に対する刃物２７、２７の非接触時の電圧レベルＶｏｋであるか或いは接触時の電圧レベルＶｎｇであるかを判定回路１２０で判定して、芯線７０に対する刃物２７の接触を検知する。【選択図】      図１
2014033480.tif 000002
【特許請求の範囲】
【請求項１】
電線の被覆材に刃物を切り込ませ、この刃物を前記電線に対して相対的に移動させることによって、前記被覆材の一部分を剥離するように構成され、
前記刃物に矩形波の直流電気信号を信号ラインによって印加する電気信号発生回路と  、前記電気信号を前記刃物に印加してから一定の時間が経過した時点で、前記信号ライ  ンにおける前記刃物からの変位電流を検出して電圧に変換し、この電圧をホールドする  変位電流検出・電流−電圧変換回路と、このホールドされた電圧が前記芯線に対する前  記刃物の非接触時の電圧レベルであるか或いは接触時の電圧レベルであるかを判定する  判定回路とを有し、
前記被覆材の剥離過程にて前記刃物が前記電線の芯線に接触した場合、この接触時の  前記信号ラインの電圧レベルが前記判定回路にて判定され、これによって前記刃物が前  記芯線に接触したことが検知される、
電線被覆材剥離装置。
【請求項２】
前記刃物を通してインピーダンス（レジスタンス、インダクタンス及びキャパシタン  スを含む。）を検出するための電気信号を発生する前記電気信号発生回路と、前記イン  ピーダンスを検知する機能を有する前記検出・変換回路内蔵の信号解析回路と、前記判  定回路とを有し、
前記被覆材の剥離過程にて前記刃物が前記電線の芯線に接触した場合、前記刃物に前  記芯線の前記インピーダンスが加算されることによる前記インピーダンスの変化が変位  電流として検出され、この変位電流が電圧に変換されてホールドされ、その電圧レベル
が前記判定回路にて判定される、
請求項１に記載した電線被覆材剥離装置。
【請求項３】
前記電気信号発生回路によって単電源の矩形波を前記電気信号として発生させ、前記電圧ホールドに際して矩形波の立ち上がり時の過渡電圧を連続してホールドし、前記芯線に対する前記刃物の接触の有無を連続して検出する、請求項１又は２に記載した電線被覆材剥離装置。
【請求項４】
前記刃物に対して前記電気信号を印加し、前記電線の芯線に前記刃物が接触すると、前記芯線が有する前記インピーダンスによって前記電気信号が変化し、この現象を監視する機能を有し、それを以って前記芯線と前記刃物とが接触したことを検知することを可能とした、請求項２又は３に記載した電線被覆材剥離装置。
【請求項５】
前記刃物が前記芯線に接触したか否かの検知を行う対象時点又は時間が任意に設定され、前記剥離動作の開始時、終了直前又は途中、更には前記芯線に対する前記刃物の接触時間の各時間的要素を管理する機能を有する、請求項１〜４のいずれか１項に記載した電線被覆材剥離装置。
【請求項６】
前記時間的要素の管理機能によって、前記芯線に前記刃物が接触しても、その接触時間又は接触箇所によっては、不良品とはしない判定条件も設定可能とする、請求項５に記載した電線被覆材剥離装置。
【請求項７】
電線収納部から引き出された前記電線の先端部にて、前記電線の被覆材に前記刃物を  切り込ませ、前記電線を後方へ搬送して前記被覆材の一部分を剥離する際に、芯線接触  検知手段によって前記芯線に対する前記刃物の接触が検知されると共に、
この先端部での被覆材剥離後に、前記電線をその引き出し方向である前方へ所定長だ  け搬送した状態で、前記先端部より後方側の位置にて前記電線を前記刃物によって切断  した後、前記電線を剥離予定長だけ後方へ戻し、更にこの状態で前記被覆材に前記刃物  を切り込ませ、前記電線を前方へ搬送して前記被覆材の一部分を剥離する際にも、前記  芯線接触検知手段によって前記芯線に対する前記刃物の接触が検知されるように構成さ  れた、
請求項１〜６のいずれか１項に記載した電線被覆材剥離装置。
【請求項８】
前記刃物が前記芯線に接触したか否かの検知を行う電極が前記刃物であり、前記電気信号（前記刃物への入力）と、前記芯線と前記刃物との接触検知信号（前記刃物からの出力）とが同一箇所（前記刃物）を通して印加もしくは取出される、請求項１〜７のいずれか１項に記載した電線被覆材剥離装置。
【請求項９】
前記刃物の一対が前記電線を挟んで対向配置された状態で前記切り込み後に前記電線が移動可能に構成され、かつ前記電線の先端が前記一対の刃物間への挿通後にセンサロッドの先端側に接当することによって前記剥離動作が開始される、請求項１〜８のいずれか１項に記載した電線被覆材剥離装置。
【請求項１０】
前記電線の被覆材の一部分を剥離する機能と共に、前記電線の所定位置を切断する機能も有する自動機として構成された、請求項１〜９のいずれか１項に記載した電線被覆材剥離装置。
【発明の詳細な説明】
【技術分野】
【０００１】
本発明は、電線の芯線と刃物との接触を検知する機能であって短く切断された電線についても検知可能な芯線接触検知機能を有し、かつこの検知に用いるシステムを簡略化できる電線被覆材剥離装置に関するものである。
【背景技術】
【０００２】
電線の被覆材に刃物を切り込ませ、この刃物を前記電線に対し相対的に移動させることによって、前記被覆材の一部分を剥離する（剥ぎ取る）ように構成された電線被覆材剥離装置（以下、ワイヤストリッパーと称することがある。）が知られている。
【０００３】
こうしたワイヤストリッパーによる電線被覆材の剥離においては、電線被覆材の切り口をより精密かつシャープに切断するため、なるべく深く刃物を電線被覆材に切り込ませる必要がある。しかしながら、刃物が電線の芯線に接触すると、芯線に傷が付いたり、芯線の一部が切断されることがあり、不良品となってしまう。
【０００４】
特に自動車や航空機に用いられる電線には、絶対の安全が求められるため、芯線に微小な傷があると、可動部や振動のある箇所に用いられる場合、その傷に応力が集中して電線の破損を起こし、重大事故に繋がることから、少しでも傷がある電線は不良品とされる。
【０００５】
そこで、電線の芯線に刃物が接触したことを検知する機能がワイヤストリッパーに必要とされ、昨今、自動機においては上記の接触検知機能を有する装置が多数開発されている。しかし、その多くが芯線と刃物に電極を設け、その電気的導通を検知する方法を用いている。
【０００６】
一例として、後記の特許文献１（特開平７−８７６４３号公報）による芯線傷検出装置を図１０について説明する。
【０００７】
この公知の技術によれば、電線６３をワイヤガイド８４に通して電線把持部８５により固定する。その後、カセットブレード８６を作動させ、電線６３の芯線７０を被覆する絶縁被覆材７１に口出しカッター８７により切り込みを入れるとともに、切断カッター８２により電線６３を切断し、同時に電線把持部８５によって左右に引き、被覆材の剥離を行う。
【０００８】
ここで、カセットブレード８６内の口出しカッター８７が被覆材７１に切り込んだ際に、芯線７０に接触すると、これを介して電線６３と電線把持部８５との間に生じる静電容量−検出器８８−交流電源８９の経路で交流電流が流れ、この電流に応じた電圧が検出器８８によって検出される。この結果、口出しカッター８７が芯線７０に接触したことが検知される。
【０００９】
図１０に示す特許文献１（特開平７−８７６４３号公報）による芯線傷検出方法では、加工電線の長さが短い場合は、その仕掛けを取り付ける場所を確保することが非常に困難である。又、当該検出方式で卓上型ワイヤストリッパーを用いて手作業で行う場合は、安全面からも不適切である。
【００１０】
そこで、本出願人は、自らが所有する先願特許を記載した後記の特許文献２（特許第４８８３８２１号）において、カッター（刃物）を検知センサとして、電線の芯線が保有するインピーダンス（レジスタンス、インダクタンス及びキャパシタンスを含む。）を検出することによって、如何なる長さに切断された短い電線でも、又、長い電線でも、同一の条件にて高精度に芯線傷を検出することのできる電線被覆材剥離装置（以下、先願特許発明のワイヤストリッパーと称する。）を既に提起した。
【００１１】
この先願特許発明のワイヤストリッパーによれば、図１１に例示するように、電気信号発生回路（信号生成回路）７５からの電気信号が電流制限回路７６を経て導線７３を通して刃物２７、２７に与えられるが、この電気信号は更に、ノイズ等を除去するためのフィルタ回路７７を通し、刃物２７、２７が芯線７０に触れたときの微小な変化を監視するための信号増幅回路７８を通して信号解析回路７４に伝達される。この信号解析回路７４で得られた信号と、制御回路７９から得られる予め設定された電線被覆材剥離動作の判定時間とを、判定ロジック回路（信号判定回路）８０にて判定し、刃物２７、２７と芯線７０との接触の最終判断を行い、有害な接触があったと判断された場合には、表示器付きの表示窓２１にエラー（Ｅｒｒ）の表示をする。
【００１２】
上記の電気信号は、例えばμ秒単位の周期でのサンプリングを行うことが可能であり、電線Ｗ（６３）の芯線７０に刃物２７が接触したときに、被覆材７１の剥離動作時の刃物位置に応じてパルス出力を発生させ、これが芯線７０のインピーダンスの加算によるインピーダンスの変化として信号解析回路７４で検出される。
【００１３】
このようにして、前記刃物が芯線に接触したか否かの検知を行うに際して、接触した位置や時間的要素を任意に設定可能とし、前記剥離動作の開始直後から終了に至る間、刃物２７、２７と芯線７０との接触時間やその位置などの時間的要素を管理する機能によって、芯線に刃物が接触しても、その程度や箇所によっては製品不良とはしない判定も可能とし、自動機などに採用した場合、不要な稼動停止を防止することができる。
【発明の概要】
【発明が解決しようとする課題】
【００１４】
上記の先願特許発明のワイヤストリッパーにおいては、刃物から得られる変位電流は電流の方向が変化した時に流れる電流であることから、交流信号を印加することにより検出するのが一般的であるが、この交流信号を発生させる回路の構成が複雑であり、その設計や作製が複雑化し、システム全体のコストが増えてしまう。このことは、先願特許発明とは異なって、刃物に印加する電気信号の変位を検出する他の方式又は機構においても同様である。
【００１５】
本発明の目的は、ワイヤストリッパーにおいて、刃物を検知センサとして、印加する電気信号を工夫することによって、如何なる長さに切断された短い電線でも、又、長い電線でも、同一の条件にて高精度に芯線傷を検出することができる上に、電源の回路構成を単純化し、システム全体のコストダウンを図ることにある。
【課題を解決するための手段】
【００１６】
即ち、本発明は、電線の被覆材に刃物を切り込ませ、この刃物を前記電線に対して相対的に移動させることによって、前記被覆材の一部分を剥離するように構成された電線被覆材剥離装置（ワイヤストリッパー）において、
前記刃物に矩形波の直流電気信号を信号ラインによって印加する電気信号発生回路と  、前記電気信号を前記刃物に印加してから一定の時間経過した時点で、前記信号ライン  における前記刃物からの変位電流を検出して電圧に変換し、この電圧をホールドする変  位電流検出・電流−電圧変換回路と、このホールドされた電圧が前記芯線に対する前記  刃物の非接触時の電圧レベルであるか或いは接触時の電圧レベルであるかを判定する判  定回路とを有し、
前記被覆材の剥離過程にて前記刃物が前記電線の芯線に接触した場合、この接触時の  前記信号ラインの電圧レベルが前記判定回路にて判定され、これによって前記刃物が前  記芯線に接触したことが検知される、
電線被覆材剥離装置に係るものである。
【発明の効果】
【００１７】
本発明によれば、前記刃物を検知センサとして、前記刃物に印加する電気信号を矩形波の直流信号としている（即ち、回路構成が複雑化する正弦波などの交流信号を印加しない）が、これは、刃物が電源がつながっていない状態から繋いだ瞬間、或いは、その逆（即ち、電源を繋いで電流が流れていない状態から電源を切り離した状態）の過渡電流を検出することでも検知可能であることによる。ここで、過渡電流は、開回路（開ループ）中に存在する刃物から空間を通って大地（アース）に流れる電流であるから、刃物に電気信号を印加するだけで上記の検知が可能となる。
【００１８】
従って、電源から直流信号を印加してから一定の時間（ｔ）経過後に、信号ラインにおける刃物からの変位電流を検出して電圧に変換し、この電圧をホールドする回路を設け、このホールドされた電圧が刃物の芯線非接触時の電圧レベルであるか或いは芯線接触時の電圧レベルであるかを判定するように構成することによって、如何なる長さに切断された短い電線でも、又、長い電線でも、同一の条件にて高精度に芯線傷を検出することができる上に、比較的単純な構成で実現できる単電源の矩形波を印加して検出することが可能となるため、検知システムに負電源が不要となり、電源回路及び波形生成回路や検波回路などのシステム全体の構成を単純化することができ、システム全体のコストダウンを図ることができる。
【図面の簡単な説明】
【００１９】
【図１】本発明の一実施形態によるワイヤストリッパーにおいて、芯線と刃物との接    触を検知する構成における要部概略図（Ａ）とその検知時の各波形図（Ｂ）である。
【図２】同、ストリップ過程における判定対象期間の設定状況を示す側面図である。
【図３】同、卓上型ワイヤストリッパーの内部構造図である。
【図４】同、卓上型ワイヤストリッパーの外観図である。
【図５】同、卓上型ワイヤストリッパーにおけるストリップ動作を示し、電線をグリ    ッパーに挿入した状態（ａ）、グリッパーが電線を把持し、刃物が電線の被覆材に切    り込んだ状態（ｂ）、被覆材を剥離した状態（ｃ）の各斜視図である。
【図６】同、卓上型ワイヤストリッパーの機械動作のフロー図である。
【図７】同、卓上型ワイヤストリッパーのモーター動作及び判定のフロー図である。
【図８】本発明の他の実施形態による自動ワイヤストリッパーの概要図である。
【図９】他の検知システムの要部概略図である。
【図１０】特許文献１（特開平７−８７６４３号公報）による芯線傷検出装置の概要    図である。
【図１１】特許文献２（特許第４８８３８２１号公報）による先願特許発明のワイヤ    ストリッパーにおける芯線と刃物との接触を検知する機構を示す概略図である。
【発明を実施するための形態】
【００２０】
本発明のワイヤストリッパーにおいては、
前記刃物を通してインピーダンス（レジスタンス、インダクタンス及びキャパシタン  スを含む。）を検出するための電気信号を発生する前記電気信号発生回路と、前記イン  ピーダンスを検知する機能を有する前記検出・変換回路内蔵の信号解析回路と、前記判  定回路とを有し、
前記被覆材の剥離過程にて前記刃物が前記電線の芯線に接触した場合、前記刃物に前  記芯線の前記インピーダンスが加算されることによる前記インピーダンスの変化が変位  電流として検出され、この変位電流が電圧に変換されてホールドされ、その電圧レベル
が前記判定回路にて判定される
ように構成することができる。
【００２１】
また、前記電気信号発生回路によって単電源の矩形波を前記電気信号として発生させ、前記電圧ホールドに際して矩形波の立ち上がり時の過渡電圧を連続してホールドし、前記芯線に対する前記刃物の接触の有無を連続して検出することができる。
【００２２】
また、前記刃物に対して前記電気信号を印加し、前記電線の芯線に前記刃物が接触すると、前記芯線が有する前記インピーダンスによって前記電気信号が変化し、この現象を監視する機能を有し、それを以って前記芯線と前記刃物とが接触したことを検知することができる。
【００２３】
また、前記刃物が前記芯線に接触したか否かの検知を行う対象時点又は時間が任意に設定され、前記剥離動作の開始時、終了直前又は途中、更には前記芯線に対する前記刃物の接触時間の各時間的要素を管理する機能を有するのがよい。
【００２４】
この場合、前記時間的要素の管理機能によって、前記芯線に前記刃物が接触しても、その接触時間又は接触箇所によっては、不良品とはしない判定条件も設定することができる。即ち、前記刃物が芯線に接触したか否かの検知を行うに際して、接触した位置や時間的要素を任意に設定可能とし、前記剥離動作の開始直後から終了に至る間、刃物と芯線との接触時間やその位置などの時間的要素を管理する機能によって、芯線に刃物が接触しても、その程度や箇所によっては製品不良とはしない判定も可能とし、自動機などに採用した場合、不要な稼動停止を防止することができる。
【００２５】
また、前記被覆材の一部分を剥離する機能と共に、前記電線の所定位置を切断する機能も有する自動機として構成される望ましい態様によるワイヤストリッパーは、
電線収納部から引き出された前記電線の先端部にて、前記電線の被覆材に前記刃物を  切り込ませ、前記電線を後方へ搬送して前記被覆材の一部分を剥離する際に、芯線接触  検知手段によって前記芯線に対する前記刃物の接触が検知されると共に、
この先端部での被覆材剥離後に、前記電線をその引き出し方向である前方へ所定長だ  け搬送した状態で、前記先端部より後方側の位置にて前記電線を前記刃物によって切断  した後、前記電線を剥離予定長だけ後方へ戻し、更にこの状態で前記被覆材に前記刃物  を切り込ませ、前記電線を前方へ搬送して前記被覆材の一部分を剥離する際にも、前記  芯線接触検知手段によって前記芯線に対する前記刃物の接触が検知されるように構成さ  れた、
自動ワイヤストリッパーである。
【００２６】
なお、本発明のワイヤストリッパーにおいて、実際には、前記刃物が前記芯線に接触したか否かの検知を行う電極が前記刃物であり、前記電気信号（前記刃物への入力）と、前記芯線と前記刃物との接触検知信号（前記刃物からの出力）とが同一箇所（前記刃物）を通して印加もしくは取出される。
【００２７】
そして、前記刃物の一対が前記電線を挟んで対向配置された状態で前記切り込み後に前記電線が移動可能に構成され、かつ前記電線の先端が前記一対の刃物間への挿通後にセンサロッドの先端側に接当することによって前記剥離動作が開始されるのがよい。
【００２８】
次に、図１〜図８について、本発明の好ましい実施の形態を説明する。
【００２９】
まず、図３、図４、図５を参照して、本発明の一実施形態による卓上型ワイヤストリッパーを詳細に説明する。以下の説明において、電線をワイヤと記すことがある。
【００３０】
図３について、本実施の形態によるワイヤストリッパーの内部構造を説明する。この装置は、本出願人が所有する特許第３５０１５９６号によるワイヤストリッパーと同等の構成に、電線の芯線と刃物との接触を検知する機構又は機能を付加したものである。以下の説明において、ワイヤ挿入側となる図面左側を前部、同右側を後部と称することとする。
【００３１】
この装置において、機枠１の前部から中間部の側壁２ａ、２ｂ間の下方位置にかけて、主軸３が回転可能かつ軸方向に摺動可能に支持され、この主軸３の直上方位置には、互いに平行する２本の副軸４、４が同じく側壁２ａ、２ｂ間に回転自在に支持されており、更に、これらの副軸４、４間の中央位置の上方には、ワイヤ端の挿入位置を定めるとともに起動信号を得るための位置決めロッド５が設けられている。
【００３２】
主軸３の直上には主軸３と平行に軸を配し、その後端範囲をスプライン軸６とし、側壁２ｂの後部に搭載された電動のモーター７の回転軸が摺動可能に嵌合され、モーター７の回転がスプライン軸６を通してスプライン軸６と同軸上のボールネジ軸８に伝達されるようになっている。ボールネジ軸８の回動によりボールナット部材９が軸方向に進退移動自在とされている。スプライン軸６とボールネジ軸８との間に回動自在に嵌合されたアーム１０の下部が主軸３を把持し、ボールネジ軸８と同一の位置を保つように主軸３を軸方向に摺動させる。
【００３３】
主軸３には、前部側が小径の第１円錐カム１１及び第２円錐カム１２が同軸的に摺動可能に嵌合され、それぞれにコイルバネからなる圧縮バネ１３ａ、１３ｂが介装され、ピン１４ａ、１４ｂを介して第１円錐カム１１及び第２円錐カム１２をそれぞれ前方へ規定強さで押し付けている。また、主軸３は、ボールナット部材９が固着された移動板１５に固着されたブッシュ１６に摺動可能に挿通されている。
【００３４】
機枠１の側壁２ａから突出した主軸３の前端部には、電線の被覆材への刃物の切り込み量を調節する切り込み量調節ノブ１７が配され、切り込み量調節ノブ１７の回動により、位置決め部材１８をネジによって進退可能とし、位置決め部材１８が第１円錐カム１１のピン１４ａと当接自在とされていることにより、第１円錐カム１１の前進を止めることができる。また、切り込み量調節ノブ１７に連動し、装置正面上部の表示窓２１に切り込み径を表示するようになっている。
【００３５】
副軸４、４の前端側には、パイプ状の管軸２２、２２が摺動可能に外嵌され、これらの管軸２２、２２の後端は、移動板１５に固着された側面Ｚ状のアーム２３の軸受部２４に挿通支持されている。管軸２２、２２から突出した副軸４、４の前端部には、グリッパー２５、２５の基部が固着され、また管軸２２、２２の前端には、グリッパー２５、２５の背後に位置する刃物ホルダー２６、２６の基部が固着されており、これらの刃物ホルダー２６、２６の先端の対向面には、図５に示すようにＶ字状の刃先を有する刃物（ストリップブレード）２７、２７が固着されている。
【００３６】
モーター７の正転駆動当初においては、図３のようにボールナット部材９の位置は固定されているので、ボールネジ軸８の正転によりボールナット部材９内のボールとの螺合によって、ボールネジ軸８の前進により主軸３が前進する。これにより、先ず第１円錐カム１１でカムローラ３３、３３を両側方に押すので、揺動部材３１、３１の上端が互いに離反する方向に揺動し、これらの揺動部材３１、３１がアーム３４、３４のローラ３５、３５を押して、これと一体の管軸２２、２２をそれぞれ回動させ、その前端の刃物ホルダー２６、２６が閉じる方向に作動する。これによって、図５（Ｂ）に示すように、刃物ホルダー２６、２６の刃物２７、２７がワイヤＷの被覆材７１を所定深さに切り込んで挟持する。
【００３７】
副軸４、４の後端近くには、アーム２８、２８の上端が固着されて垂下され、これらのアーム２８、２８の下端に水平面内で回転自在に軸着されたカムローラ２９、２９が、第２円錐カム１２の周面に当接して第２円錐カム１２の前進時にその周面により押され、これによって副軸４、４が互いに反対方向に回転するようになっており、この第２円錐カム１２の前進時にはグリッパー２５、２５が閉じる方向に、同後退時には開く方向に回動されるようになっている。
【００３８】
第１円錐カム１１の両側には、下端が側壁２ａに軸３０、３０により揺動自在に枢支された揺動部材３１、３１が設けられ、この揺動部材３１の上下方向の軸３２上のカムローラ３３が第１円錐カム１１の周面に当接するようになっている。また、この揺動部材３１の上端外側面には、管軸２２、２２に固着のアーム３４、３４の下端に水平面内で回転自在に軸着されたローラ３５、３５が当接されている。この第１円錐カム１１の進退動に、アーム３４、３４を介して管軸２２、２２が互いに反対方向に回転し、第１円錐カム１１の前進時には、刃物ホルダー２６、２６が閉じる方向に、同後退時に開く方向に回動されるようになっている。
【００３９】
移動板１５と機枠１の後部の側壁２ｂとの間にはブレーキ装置３６が介装されている。このブレーキ装置３６は、ボールナット部材９の後退移動時に抵抗を与えるものであって、側壁２ｂに固定のベース３７に形成された水平方向の長孔３８に、貫通する軸３９により移動板１５側のプレート４０を連結し、この軸３９を介してバネ４１によりシュー４２に付与されるバネ力による摩擦ブレーキ作用を与え、ボールナット部材９の戻り時の抵抗がグリッパー２５、２５の把持力と刃物２７、２７の切り込み力とに変換されるように構成されている。
【００４０】
第１円錐カム１１及び第２円錐カム１２の移動タイミングは、主軸３の前進時にはボールナット部材９が固定状態のまま主軸３がそのボールネジ軸８により前進し、第１円錐カム１１で刃物ホルダー２６、２６を閉じ、次いで第２円錐カム１２の前進でグリッパー２５、２５が閉じられる。第２円錐カム１２の進行が止まると、その反力でボールナット部材９がブレーキ装置３６の負荷に抗して後退し、そのブレーキ装置３６の抵抗がグリッパー２５、２５の閉じ方向の力となって電線６３を把持するとともに、ボールナット部材９の後退により刃物ホルダー２６、２６が後退して被覆材を芯線から抜き外す（剥離する）ことになる。
【００４１】
また、図４に示すように、引導長調整用ノブ５８を回動することにより、引導長調整用ノブ５８のネジ軸５９に螺合されたブラケット６０上のモーター逆転指令用センサ６１の位置を調整することができ、被覆材の引導長さを調整できる。また、表示窓５７にモーター逆転指令用センサ６１の位置を被覆材の引導長さとして表示されるようになっている。なお、図５の符号６２は、ワイヤを挿入する際の支持部である。
【００４２】
従って、ノブ５４を回動して位置決め部材５６の位置を変えることにより、外管４３の図示せぬ引張バネによりレバー５１を介し外管４３の位置が定められ、センサロッド４５のストッパ４６の位置が定められ、これによってワイヤ端の挿入深さ（又は位置）が設定され、被覆材の剥ぎ取り長さが選定される。なお、ノブ５４を回動させると、装置側面に設けられ、目盛りが付された表示窓５７に、位置決め部材５６の位置が被覆材の剥ぎ取り長さに換算して表示されるようになっている（図４参照）。
【００４３】
刃物ホルダー２６、２６は、刃物２７、２７が固着されている上部が絶縁物からなり、下部が金属からなる上下二分割構造となっており、刃物２７、２７を装置から電気的に絶縁する構造になっている。
【００４４】
上記した装置において、電線Ｗ（６３）の被覆材７１の一部を剥離するに際し、本発明に基づいて、電線Ｗ（６３）の芯線７０に刃物２７が接触したことを次のようにして検知する。
【００４５】
刃物２７、２７は、図１１に示した先願特許発明と同様に、コントロール基板５３とインピーダンス検知用の導線７３によって接続され、上述した構造により、電極になる刃物２７、２７を通してインピーダンス、例えばキャパシタンス（以下、同様）を測定することができる。また、刃物２７、２７と電線Ｗ（６３）の芯線７０との接触の検知判定回路において、電気信号発生回路７５で生成された電気信号である矩形波の直流信号が、電流制限回路７６を通して刃物２７、２７に伝えられる。
【００４６】
そして、図１１に示した先願特許発明と同様に、刃物２７、２７に与えられた電気信号は、ノイズ等を除去するためのフィルタ回路７７を通し、刃物２７、２７が芯線７０に触れたときの微小な変化を監視するための信号増幅回路７８を通して信号解析回路７４に伝達される。この信号解析回路７４で得られた信号と、制御回路７９から得られる予め設定された電線被覆材剥離動作の判定時間とを、判定ロジック回路８０にて判定し、刃物２７、２７と芯線７０との接触の最終判断を行い、有害な接触があったと判断された場合には、表示器付きの表示窓２１にエラー（Ｅｒｒ）の表示をする。
【００４７】
上記の電気信号は、例えばμ秒単位の周期でのサンプリングを行うことが可能であり、電線Ｗ（６３）の芯線７０に刃物２７が接触したときに、被覆材７１の剥離動作時の刃物位置に応じてパルス出力を発生させ、これが芯線７０のインピーダンスの加算によるインピーダンスの変化として信号解析回路７４で検出される。
【００４８】
このように、刃物２７を検知センサとして、電線Ｗの芯線７０が保有するインピーダンス（レジスタンス、インダクタンス及びキャパシタンスを含む。）を出力レベルの変位として検出することによって、如何なる長さに切断された短い電線でも、又、長い電線でも、同一の条件にて高精度に芯線傷を検出することができる。
【００４９】
この検出時において重要なことは、図１（Ａ）に示すように、矩形波の直流電気信号を発生し、電流制限回路１０６を通し、信号ライン（導線）７３によって刃物２７に印加する電気信号発生（生成）回路１０５と、その電気信号を刃物２７に印加してから一定の時間（ｔ）が経過した時点で、信号ライン７３における刃物２７からの変位電流（即ち、刃物から空間を通って大地に流れる電流）を検出して電圧に変換し、この電圧をホールドする変位電流検出・電流−電圧変換回路１１０と、このホールドされた電圧が芯線７０に対する刃物２７の非接触時の電圧レベルであるか或いは接触時の電圧レベルであるかを判定する判定回路１２０とを有し、被覆材７１の剥離過程にて刃物２７が電線Ｗ（６３）の芯線７０に接触した場合、この接触時の信号ライン７３の電圧レベルが判定回路１２０にて判定され、これによって刃物２７、２７が芯線７０に接触したことが検知されることである。
【００５０】
この場合、上記したインピーダンスの検出を適用するには、刃物２７を通してインピーダンス（レジスタンス、インダクタンス及びキャパシタンスを含む。）を検出するための電気信号を発生する電気信号発生（生成）回路１０５と、インピーダンスを検知する機能を有する検出・変換回路１１０内蔵の信号解析回路と、判定回路１２０とを有し、被覆材７１の剥離過程にて刃物２７が電線Ｗ（６３）の芯線７０に接触した場合、刃物２７に芯線７０のインピーダンスが加算させることによるインピーダンスの変化が変位電流として検出され、この変位電流が電圧に変換されてホールドされ、その電圧レベルが判定回路１２０にて判定される。
【００５１】
このようにして、図１（Ｂ）に示すように、単電源の信号発生回路１０５からＡ点における直流信号を印加してから一定の時間（ｔ）経過後に、信号ラインにおける刃物２７からの変位電流を検出して電圧に変換し、信号ラインのＢ点での電圧をホールドする回路により、このホールドされた電圧が刃物の芯線非接触時の電圧レベルＶｏｋであるか或いは芯線接触時の電圧レベルＶｎｇであるかを判定するように構成することによって、如何なる長さに切断された短い電線でも、又、長い電線でも、同一の条件にて高精度に芯線傷を検出することができる上に、比較的単純な構成で実現できる単電源の矩形波を印加して検出することが可能となるため、検知システムの負電源が不要となり、電源回路及び波形生成回路や検波回路などのシステム全体の構成を単純化することができ、システム全体のコストダウンを図ることができる。
【００５２】
次に、こうした検知動作を含めた被覆材剥離動作を、卓上型ワイヤストリッパーの動作図にて説明する。
【００５３】
まず最初に、切り込み量調整用ノブ１７を回動して、取り扱う電線径に応じた切り込み深さが得られるように表示窓２１に表示される値を設定するとともに、被覆材の剥ぎ取り長さをストッパ位置調整用ノブ５４の回動によって、引導長さを引導長調整用ノブ５８の回動によって、表示窓５７を見ながら所望の値に設定する。この場合、切り込み深さの設定を可能な限り大きくすることにより、被覆材を引きちぎる量（厚み）が減り、ストリップ動作をスムーズかつ安定に行うことができる。
【００５４】
図５（Ａ）に模式的に示すように、電線Ｗ（６３）の先端をグリッパー２５、２５間に通して挿入すると、電線Ｗ端がセンサロッド４５の前端のストッパ４６に接当し、これを若干後方へ押すことによりセンサロッド４５が弱いバネ４８に抗して後退し、その後端がセンサ４７を遮る。このセンサ４７がセンサロッド４５の後退を検知すると、その検知信号によりモーター７が正転駆動し、主軸３が前進運動する。
【００５５】
また、センサ４７が検知した信号により、ストリップ加工を始める直前のインピーダンスを記憶すると同時に、上記した接触検知の判定動作を開始し、以降はモーター停止信号によってモーターが停止するまでの一工程の間、電線Ｗ（６３）の芯線７０と刃物２７とが接触したか否かの判定を行う。
【００５６】
図２（Ａ）から（Ｂ）までの期間、即ち、切り込み時からストリップ過程の初期は、図２（Ｅ）のように僅かでも接触すれば不良と判断しても、それ以降の過程では、図２（Ｆ）のような接触は不良とは判定しないこともできる。図２（Ｃ）から（Ｄ）までの期間、即ち、ストリップ過程の終了間際の刃物と芯線との接触を検知しない等、時間的管理機能を用いて判定を任意に設定することができる。
【００５７】
このように、時間的管理機能を用いることによって、ストリップ過程の終了間際に発生する図２（Ｇ）のような先端の微小な接触傷は、これを判定対象から除外することも可能である。
【００５８】
また、モーターの起動、反転、及び停止信号を用いて、その信号が出力された直後は判定から除外することによって、モーターから発する起動時のスパイクノイズの影響を防ぐことができ、より精度の高い検出が可能となる（図７参照）。
【００５９】
上記した時間的管理機能は、電線の芯線と刃物とが接触し続ける時間も判定の基準にすることができる。つまり、長時間接触し続けると、長く深い傷が付き、極微少な時間の接触の場合は、程度によっては傷が付かない。そこで、μ秒単位で電線の芯線と刃物との接触時間をサンプリングすることにより、品質に影響しない極微少時間の接触と、長い時間の接触とを判別し、これを判定基準とすることも可能である。また、上記の時間的管理機能の要素機器は、エンコーダーやマグネットスケールのような位置情報機器に置き換えることもできる。
【００６０】
モーター７の正転駆動当初においては、図３のようにボールナット部材９の位置は固定されているので、ボールネジ軸８の正転によりボールナット部材９内のボールとの螺合によって、ボールネジ軸８の前進により主軸３が前進する。これにより、先ず第１円錐カム１１でカムローラ３３、３３を両側方に押すので、揺動部材３１、３１の上端が互いに離反する方向に揺動し、これらの揺動部材３１、３１がアーム３４、３４のローラ３５、３５を押して、これと一体の管軸２２、２２をそれぞれ回動させ、その前端の刃物ホルダー２６、２６が閉じる方向に作動する。これによって、図５（Ｂ）のように、刃物ホルダー２６、２６の刃物２７、２７がワイヤＷの被覆材７１を所定深さに切り込んで挟持する。
【００６１】
更に、主軸３の前進運動により、第２円錐カム１２で副軸４、４のアーム２８、２８のカムローラ２９、２９を両方向に押し、これにより、副軸４、４が互いに反対方向に回動してグリッパー２５、２５が閉じ、ワイヤＷを把持する。
【００６２】
この状態に至ると、主軸３の第１円錐カム１１のピン１４ａに、位置決め部材１８の先端が当接して前進が止められるので、ボールネジ軸８の回転でボールナット部材９が後退する方向に動き出す。このボールナット部材９の後退によりレバー５１の軸受部５０が後退するので、位置決めロッド５が引張バネの付勢によってレバー５１の上端を押しながら後退するとともに、副軸４、４にアーム２３を介して連結されている管軸２２、２２が後退し、これによって、図５（Ｃ）に示すように、刃物２７、２７で切断されたワイヤ端の被覆材７１が芯線７０から引き抜かれて剥ぎ取られる。
【００６３】
上記した剥離動作のフローは図６にまとめて示し、またモーター動作を含めた接触判定のフローは図７にまとめて示す。
【００６４】
図８は、一般的に用いられている自動ワイヤストリッパー（以下、自動機と称することがある。）に本発明を適用した例の動作説明図である。この自動ワイヤストリッパーは、電線の被覆剥離機能と共に、電線を一定の長さに切断する測長切断機能を有する。
【００６５】
図８（Ａ）のように、電線が収納されているボビン９０から引き出された電線６３aを、搬送ローラ９１で刃物９３の先端位置まで搬送し、刃物９３を被覆材に切り込ませ、搬送ローラ９１を反転させて被覆材を剥ぎ取る。
【００６６】
次に、図８（Ｂ）のように、電線６３ａを指定の長さ搬送し、搬送ローラ９２に挿入した後、刃物９３によって電線を切断する。切断後は、図８（Ｃ）のように、刃物９３を開き、切断された電線６３ｂを搬送ローラ９２でストリップ長さ分戻して、刃物９３を再度被覆材に切り込ませ、搬送ローラ９２を反転させて被覆材を剥ぎ取る。
【００６７】
本発明は、特に高速運転の自動ワイヤストリッパーに好適である。 図８に示した電線６３ａの芯線傷は公知の芯線傷検知システムでも検知可能であるが、短く切断された後の電線６３ｂの芯線傷検知は公知技術では困難である。この場合も、既述した本発明による芯線接触検知機能によって検知可能である。
【００６８】
電線のストリップ過程において刃物と電線芯線とが接触する確率は高く、既存の芯線傷検知システムでは、刃物と電線芯線が接触する度にエラー信号が発せられ、自動機は頻繁に停止する。しかし、本発明によって、接触時間やその位置などの時間的要素を既述した如くに管理する機能を有することによって、芯線に刃物が接触しても、その程度や箇所によっては製品不良とはしない判定も可能であり、不要な稼動停止を防止することができる。
【００６９】
なお、上述した例においては、芯線の静電容量の加算によるインピーダンスの変化を検出しているが、こうしたインピーダンスの変化の検出ではない他の検出方式として、刃物に流れる電流（変位電流）を検出することによっても、芯線に対する刃物の接触を検知することができる。
【００７０】
即ち、図９に示すように、電気信号を刃物２７に印加する電気信号印加回路１３０と、刃物２７に流れる電流を検出する変位電流検出回路１４０とを有するワイヤストリッパーにおいて、被膜７１を剥離する対象線材Ｗ（６３）の芯線７０に刃物２７が接触しない場合、刃物２７に電圧を印加して電圧を変化させても、回路内に容量成分が存在せず、回路も閉じていないので、電流は流れない。
【００７１】
しかし、刃物２７が線材Ｗ（６３）の芯線７０に接触した場合、信号ライン７３がモノポールアンテナを接続した状態と同等になるので、電圧を変化させると、線材Ｗ（６３）がアンテナの役割を果たし、大地や筐体に向かって変位電流が流れる。この変位電流は刃物２７に流れる電流と等しいので、刃物２７に流れる電流を検出回路１４０で検出することにより、変位電流の有無、即ち刃物２７が芯線７０に接触したか否かの検出が可能となる。
【００７２】
従って、この検出方式は、静電容量による検出方法とは明確に相違し、差別化されるものである。
【００７３】
以上、本発明の実施の形態を説明したが、本発明は上述した実施の形態に限定されるものではなく、種々に変形可能である。
【００７４】
例えば、上述した直流信号の波形や時間ｔは種々に選択又は変更してよい。
【産業上の利用可能性】
【００７５】
本発明は、電線の被覆材の端部を所定の長さで自動的に剥離する際に、電線の芯線と刃物との接触を検知する機能を向上させ、加工電線の品質向上を図ることができ、かつ検知に用いる信号生成回路の構成を簡略化し、システム全体の構成を簡略化してコストダウンを図れるワイヤストリッパーを提供できる。
【符号の説明】
【００７６】
５…位置決めロッド、２５…グリッパー、２６…刃物ホルダー、
２７…刃物（ストリップブレード）、４５…センサロッド、４６…ストッパ、
４７…センサ、５３…コントロール基板、６３（Ｗ）…電線、７０…芯線、
７１…被覆材、７３…導線（信号ライン）、
１０５…電気信号発生回路（信号生成回路）、１０６…電流制限回路、
１１０…変位電流検出・電流−電圧変換回路、１２０…接触判定回路
【先行技術文献】
【特許文献】
【００７７】
【特許文献１】特開平７−８７６４３号公報（段落番号［０００９］〜［００１８］、［図１］〜［図５］）
【特許文献２】特許第４８８３８２１号公報（特許請求の範囲、段落番号［００１５］〜［００５１］、［図１］〜［図８］）
【図１】
2014033480.tif 000003
【図２】
2014033480.tif 000004
【図３】
2014033480.tif 000005
【図４】
2014033480.tif 000006
【図５】
2014033480.tif 000007
【図６】
2014033480.tif 000008
【図７】
2014033480.tif 000009
【図８】
2014033480.tif 000010
【図９】
2014033480.tif 000011
【図１０】
2014033480.tif 000012
【図１１】
2014033480.tif 000013